(57)【特許請求の範囲】
【請求項１】
赤外線を吸収し可視光を放出する光ルミネセンス体を含有し、不可視情報を記録するためのインキであって、
感圧転移性インキであることを特徴とする不可視情報記録用インキ。
【請求項２】
前記光ルミネセンス体は、波長９００〜１１００ｎｍの光を吸収することを特徴とする請求項１記載の不可視情報記録用インキ。
【請求項３】
前記光ルミネセンス体は、青色光、緑色光および赤色光から選ばれる１種以上の可視光を放出することを特徴とする請求項１又は２記載の不可視情報記録用インキ。
【請求項４】
前記光ルミネセンス体は１種以上の希土類を含有しており、該希土類全体に対し５〜６０原子％のＹｂを含有することを特徴とする請求項１乃至３何れかに記載の不可視情報記録用インキ。
【請求項５】
前記希土類は、前記希土類全体に対し４０〜９０原子％のＹと、０．１〜１０原子％のＥｒと、０．０１〜１原子％のＴｍとから選ばれる１種以上の希土類を更に含有することを特徴とする請求項４に記載の不可視情報記録用インキ。
【請求項６】
前記光ルミネセンス体の平均粒子径は、０．１〜１０μｍであることを特徴とする請求項１乃至５何れかに記載の不可視情報記録用インキ。
【請求項７】
前記光ルミネセンス体の前記不可視情報記録用インキに占める割合は、５〜６０質量％であることを特徴とする請求項１乃至６何れかに記載の不可視情報記録用インキ。
【請求項８】
前記不可視情報は、秘匿情報、真贋判定用情報、偽造防止用情報および娯楽用情報から選ばれる１種以上であることを特徴とする請求項１乃至７何れかに記載の不可視情報記録用インキ。
【請求項９】
前記不可視情報記録用インキは、印刷用インキ、描画用インキ又は描画剤であることを特徴とする請求項１乃至８何れかに記載の不可視情報記録用インキ。
【発明の詳細な説明】
【０００１】
【発明の属する技術分野】
本発明は、不可視情報を記録するのに好適なインキ、このインキを使用する不可視情報の形成方法、不可視情報が形成される媒体、不可視情報が形成された媒体に関する。
【０００２】
なお、特に断らない限り、「不可視」とは、可視光下で肉眼により目視できないことを言う。
【０００３】
【従来の技術】
秘匿情報、真贋判定用情報、偽造防止用情報および娯楽用情報などの不可視情報を記録するためのインキとしては、例えば紫外線発光蛍光体を含有するものが実用化されている。紫外線発光蛍光体含有インキで形成された不可視情報は、可視光下で目視できないため不可視情報の秘密を保持でき、必要な時に紫外線を照射することにより不可視情報を判読できる。
【０００４】
紫外線を照射する簡便な装置としては、例えばブラックライト等が使用されている。ブラックライトは比較的安価であり使用方法も簡単であるため広く普及しており、紫外線発光蛍光体含有インキで形成された不可視情報の判読に好適な用具である。しかしながら、近年、ブラックライトの普及に伴い多数の人がブラックライトを容易に入手できる様になったため、紫外線発光蛍光体含有インキで形成された不可視情報の安全性が低下することが危惧されつつある。
【０００５】
そこで、紫外線発光蛍光体含有インキの代替品として、赤外線発光蛍光体含有インキの開発が試みられている。例えば、特開平７−３１００７２号公報には、波長９５０〜１０５０ｎｍの赤外線を発光する赤外蛍光体顔料が記載されている。また、特開平９−５９６１５号公報には、６３０ｎｍ以上の発光ピーク波長を有する蓄光性蛍光体が記載されている。また、特開２０００−４３４４９号公報には、波長９８０〜１０２０ｎｍ以上に発光スペクトルを有する赤外線発光蛍光体が記載されている。また、特開平３−２５８５９２号公報には、蛍光波長が９８０ｎｍの蛍光体を含有するインキが記載されている。
【０００６】
更に、蛍光体ハンドブック（蛍光体同学会編、１９８７年１２月発行）の第３４３〜３４５頁には赤外励起蛍光体について記載されているが、この様な赤外励起蛍光体を不可視情報用のインキとして使用することは記載されていない。
【０００７】
【発明が解決しようとする課題】
以上の様に不可視情報用のインキに付いては多数の提案がなされているが、次の様な不具合が発生する場合があった。
【０００８】
第１に、従来のインキの場合、発光強度および輝度などが不十分なため、不可視情報を十分に判読できない場合があった。また、不可視情報の安全性が不足する場合もあった。第２に、従来のインキの場合、不可視情報を形成した後の耐久性が不十分なため、不可視情報を記録してから時間が経過すると、不可視情報を判読できなくなる場合があった。第３に、可視光下において不可視情報は目視不可能であるにも関わらず、不可視情報を記録した際に媒体に筆圧痕および印刷痕などが形成され、筆圧痕および印刷痕が目視されるなど他の要因のために不可視情報が漏洩することがあった。
【０００９】
そこで、本発明においては、これらの不具合を解消することを目的とする。
【００１０】
【課題を解決するための手段】
上記目的を達成するための本発明によれば、赤外線を吸収し可視光を放出する光ルミネセンス体を含有し、不可視情報を記録するためのインキであって、
感圧転移性インキであることを特徴とする不可視情報記録用インキが提供される。
【００１１】
赤外線を吸収し可視光を放出する光ルミネセンス体（赤外・可視ルミネセンス体とも言う）を含有するインキ（赤外・可視ルミネセンスインキとも言う）を使用して不可視情報を形成すると、赤外・可視ルミネセンス体の赤外線を照射した際の発光強度および輝度が高いため、赤外線の照射により不可視情報を十分に判読できる。また、赤外線の照射装置は、ブラックライト等と比較して普及率が低いため、赤外・可視ルミネセンスインキで形成された不可視情報の安全性は高い。
【００１２】
更に、赤外・可視ルミネセンス体の赤外線照射時の発光強度および輝度が高いため、赤外・可視ルミネセンスインキで記録された不可視情報をカムフラージュやオペイクしても、赤外線の照射により不可視情報を十分に判読でき、情報が損なわれない。
【００１３】
このため、不可視情報をカムフラージュやオペイクすることにより、不可視情報の判読性を損なうことなく、不可視情報の安全性を更に高めることができる。
【００１４】
また、不可視情報をカムフラージュやオペイクすることにより、インキの耐久性を向上でき、不可視情報を記録してから長時間が経過しても、不可視情報を判読できる。
【００１５】
また、不可視情報をカムフラージュやオペイクすることにより、不可視情報を記録する際に形成される筆圧痕および印刷痕などを目視し難く、あるいは隠蔽できるため、筆圧痕および印刷痕の目視など他の要因に起因する不可視情報の漏洩を阻止できる。
【００１６】
【発明の実施の形態】
以下に本発明を詳細に説明する。
【００１７】
赤外・可視ルミネセンス体は赤外線を吸収し可視光を放出するため、赤外・可視ルミネセンスインキを使用して作製された不可視情報は、可視光下においては目視できず、赤外線の照射により可視光が放出され不可視情報を肉眼で判読できる。そして、赤外・可視ルミネセンス体の赤外線照射時の発光強度および輝度が高いため、赤外・可視ルミネセンスインキを使用して記録された不可視情報は、良好な判読性を有する。
【００１８】
この様な赤外・可視ルミネセンス体の中でも、赤外線を照射した際の不可視情報の発光強度および輝度が特に高いため、波長９００〜１１００ｎｍの赤外線を吸収し可視光を放出するものが好ましい。
【００１９】
また、同様の理由から、赤外・可視ルミネセンス体としては、青色光、緑色光または赤色光を可視光として放出するものが好ましい。より具体的には、青色光として波長４００〜５００ｎｍの可視光、緑色光として５００〜５８０ｎｍの可視光または赤色光として波長５８０〜８００ｎｍの可視光を放出するものが好ましい。なお、複数の波長の可視光を放出する赤外・可視ルミネセンス体を使用することもでき、必要に応じて複数の赤外・可視ルミネセンス体を併用し、複数の波長の可視光を放出する赤外・可視ルミネセンスインキにより不可視情報を形成することもできる。
【００２０】
以上の様な赤外・可視ルミネセンス体としては、１種以上の希土類を含有しているものが好ましく、特に、得られる不可視情報の発光強度および輝度が高いため、希土類としてＹｂ（イッテルビウム）を含有するものが好ましい。また、Ｙｂの希土類全体に占める割合は、５原子％以上が好ましく、１０原子％以上がより好ましく、１５原子％以上が更に好ましく、一方、６０原子％以下が好ましく、５５原子％以下がより好ましく、４５原子％以下が更に好ましい。
【００２１】
更に高い発光強度および輝度を実現することに加え、放射される可視光の波長を調節するために、Ｙｂ以外の希土類を含有する赤外・可視ルミネセンス体が好ましく、具体的にはＹ（イットリウム）、Ｅｒ（エルビウム）及びＴｍ（ツリウム）等が好ましく、必要に応じて２種以上を併用する
Ｙの希土類全体に占める割合は、４０原子％以上が好ましく、５０原子％以上がより好ましく、６０原子％以上が更に好ましく、一方、９０原子％以下が好ましく、８５原子％以下がより好ましく、８０原子％以下が更に好ましい。
【００２２】
また、Ｅｒの希土類全体に占める割合は、０．１原子％以上が好ましく、０．５原子％以上がより好ましく、０．８原子％以上が更に好ましく、一方、１０原子％以下が好ましく、８原子％以下がより好ましく、５原子％以下が更に好ましい。
【００２３】
更に、Ｔｍの希土類全体に占める割合は、０．０１原子％以上が好ましく、０．０５原子％以上がより好ましく、０．０８原子％以上が更に好ましく、一方、１原子％以下が好ましく、０．８原子％以下がより好ましく、０．５原子％以下が更に好ましい。
【００２４】
以上の様な赤外・可視ルミネセンス体の平均粒子径も、得られる不可視情報の発光強度および輝度に影響するため、注意深く選択する。具体的には、０．１μｍ以上が好ましく、１μｍ以上がより好ましく、２μｍ以上が更に好ましく、一方、１０μｍ以下が好ましく、８μｍ以下がより好ましく、５μｍ以下が更に好ましい。なお、平均粒子径としては、体積平均粒子径を例えばＣｏｕｌｔｅｒ  Ｅｌｅｃｔｒｏｎｉｃｓ社（英国）製コールターマルチサイダーを用いて測定できる。
【００２５】
赤外・可視ルミネセンスインキは、以上の様な赤外・可視ルミネセンス体と、ビヒクル及び助剤などとを混合し、必要に応じて他の色材も併用して作製される。赤外・可視ルミネセンス体の赤外・可視ルミネセンスインキに占める割合は、十分な発光強度および輝度を実現するために５質量％以上が好ましく、１０質量％以上がより好ましく、１５質量％以上が更に好ましい。一方、得られる赤外・可視ルミネセンスインキの不可視情報を形成するに必要な性能を確保するために、６０質量％以下が好ましく、５０質量％以下がより好ましく、４０質量％以下が更にこのましい。
【００２６】
ビヒクルは、赤外・可視ルミネセンスインキの所望な性能を実現するために注意深く選択され、例えば、水；乾性油、半乾性油、不乾性油などの植物油；加工油；鉱油；天然樹脂、加工樹脂、合成樹脂などの樹脂；可塑剤；ワックス；炭化水素類、アルコール類、グリコール類、エステル類、ケトン類などの溶剤；紫外線硬化性モノマー、紫外線硬化性オリゴマー、電子線硬化性モノマー、電子線硬化性オリゴマー等の硬化性ビヒクル等を使用する。
【００２７】
助剤としては、ドライヤー、皮張り防止剤などの乾燥制御剤；コンパウンド、増粘剤、腰切剤などの粘度制御剤；分散剤、色分かれ防止剤、安定剤などの分散制御剤；トナー、艶消し剤などの色調制御剤；開始剤、増感剤、触媒、架橋剤などの反応制御剤；湿潤剤；消泡剤；防かび剤などを使用する。
【００２８】
他の色材としては、有機顔料、無機顔料、体質顔料などの顔料；油溶染料、水性染料、分散染料などの染料を使用する。
【００２９】
以上の様な赤外・可視ルミネセンスインキを用いて記録される不可視情報の種類としては、秘匿情報、真贋判定用情報、偽造防止用情報、娯楽用情報などを挙げることができる。また、必要に応じて、これらの情報を組合わせて記録することもできる。
【００３０】
秘匿情報としては、パスワード、暗証番号、ＩＤ番号、登録番号、氏名、住所、年齢、性別、誕生日、血液型、電話番号、出身地、本籍、国籍、個人情報などを例示でき、秘匿情報が記載された媒体（不可視情報担持体）としては、図１に示す様なＩＤカード、申込用紙、申請書類、登録書類、通知書類、帳票、郵便物などを例示できる。媒体２０に記録された秘匿情報２１は、可視光下では目視できないが、赤外線を照射することにより判読できる。
【００３１】
真贋判定用情報としては、隠し文字、隠し記号、隠し模様、隠し地紋、隠し絵柄、隠し番号、罫線、網点などを例示でき、真贋判定用情報が記載された媒体（不可視情報担持体）としては、図２に示す様な入場券、チケット、証書類、証明書類、金券、有価証券などを例示できる。媒体２２に記録された真贋判定用情報２３は、可視光下では目視されない。このため、媒体２２に可視光下で目視可能な図柄などが形成されている場合、これらの図柄を損なうことなく真贋判定用情報２３を記録でき、その情報を媒体２２に保持できる。そして、必要に応じて真贋判定用情報２３に赤外線を照射し判読して、媒体２２の真贋を判定する。
【００３２】
偽造防止用情報としては、隠し文字、隠し記号、隠し模様、隠し地紋、隠し絵柄、隠し番号、罫線、網点などを例示でき、偽造防止用情報が記載された媒体（不可視情報担持体）としては、図３に示す様な金券、有価証券、チケット、入場券、証書類、証明書類などを例示できる。媒体２４に記録された偽造防止用情報２５は、可視光下では目視されない。このため、媒体２４に可視光下で目視可能な図柄などが形成されている場合、これらの図柄を損なうことなく偽造防止用情報２５を記録でき、その情報を媒体２４に保持できる。
【００３３】
娯楽用情報としては、隠し文字、隠し記号、隠し模様、隠し地紋、隠し絵柄、隠し番号、罫線、網点などを例示でき、娯楽用情報が記載された媒体（不可視情報担持体）としては、図４に示す様な挨拶状、グリーティングカード、案内状、チケット、くじ、仕掛け書籍、仕掛け文具などを例示できる。媒体２６に記録された娯楽用情報２７は、可視光下では目視されない。このため、媒体２６に可視光下で目視可能な図柄などが形成されている場合、これらの図柄を損なうことなく娯楽用情報２７を記録でき、その情報を媒体２６に保持できる。そして、必要に応じて娯楽用情報２７に赤外線を照射し、隠し文字などを判読する。
【００３４】
以上の様な不可視情報を媒体に記録する方法は、不可視情報の種類および用途を勘案し、印刷、筆記、感圧転写、捺印、貼付などから選択される。また、必要に応じて、これらの方法を組合わせて使用することもできる。
【００３５】
図５には、印刷により不可視情報を形成する方法として、印刷機３０により不可視情報が印刷された媒体３１を製造する様子を示した。印刷により製造できる不可視情報担持体としては、秘匿情報が記録されたＩＤカード、申込用紙、申請書類、登録書類、通知書類、帳票、郵便物など；真贋判定用情報が記録された入場券、チケット、証書類、証明書類、金券、有価証券など；偽造防止用情報が記録された金券、有価証券、チケット、入場券、証書類、証明書類など；娯楽用情報が記録された挨拶状、グリーティングカード、案内状、チケット、くじ、仕掛け書籍、仕掛け文具などを挙げることができる。
【００３６】
印刷用の赤外・可視ルミネセンスインキは、適当なビヒクル等を使用することで調製できる。この様な印刷用のインキとしては、フレキソ印刷用インキ、活版印刷用インキ、写真凸版印刷用インキ、ＰＳ版印刷用インキ、オフセット印刷用インキ等の凸版印刷用インキ；グラビア印刷用インキ、網点グラビア印刷用インキ、ＰＳ版印刷用インキ、オフセット印刷用インキ等の凹版印刷用インキ；ＰＳ版印刷用インキ、オフセット印刷用インキ等の平板印刷用インキ；スクリン印刷用インキ、謄写印刷用インキ、ＰＳ版印刷用インキ、オフセット印刷用インキ等の孔版印刷用インキ；紫外線硬化型インキ、電子線硬化型インキ、枚葉用インキ、オフセット輪転用インキ、新聞用インキ、ブリキ板用インキ等のペーストインキ等を挙げることができる。
【００３７】
図６には、筆記により不可視情報を形成する方法として、記録用具３２により不可視情報を申込書３３に筆記する様子を示した。この場合、描画用の赤外・可視ルミネセンスインキ等を具備する記録用具を用いて、不可視情報を媒体に直接筆記する。この様な記録用具としては、マーキングペン、水性ペン、油性ペン、水性マーカー、油性マーカー、ボールペン、万年筆、デスクペン等の筆記具を挙げることができる。また、これらの筆記具用の赤外・可視ルミネセンスインキは、適当なビヒクル等を使用することで調製でき、具体的には、マーキングペン用インク、水性ペン用インク、油性ペン用インク、水性マーカー用インク、油性マーカー用インク、ボールペン用インク、万年筆用インク、デスクペン用インク等の筆記具用インクを調製できる。
【００３８】
また、不可視情報を筆記する際に使用できる他の記録用具として、赤外・可視ルミネセンス体を含有する描画剤などを具備する記録用具がある。この様な記録用具としては、鉛筆、色鉛筆、シャープペンシル等の筆記具や、水性絵具、油性絵具、アクリル絵具、ケーキカラー、粉絵具、顆粒絵具、ドローイングインキ、クレヨン、パス、コンテ、パステル等を挙げることができる。これらの記録用具に具備され、赤外・可視ルミネセンス体を含有する描画剤は、固形状および半固形状のビヒクルを使用することで調製でき、具体的には、水性絵具、油性絵具、アクリル絵具、ケーキカラー、粉絵具、顆粒絵具、ドローイングインキ、クレヨン、パス、コンテ、パステル、鉛筆、色鉛筆、シャープペンシル等の描画剤を挙げることができる。
【００３９】
図７には、捺印により不可視情報を形成する方法として、スタンプ３７等により不可視情報を媒体３８に捺印する様子を示した。この場合、スタンプ用インキ、印判用インキ、印鑑用インキ等の捺印用インキ等の赤外・可視ルミネセンスインキを使用して、不可視情報を媒体に捺印する。これらの描画用インキは、適当なビヒクル等を使用することで調製でき、捺印用具としては、スタンプ、印判、印鑑などを使用できる。
【００４０】
図８には、貼付により不可視情報を形成する方法として、ラベル３９等を貼付する様子を示した。この場合、ラベル３９には、不可視情報が予め形成されており、このラベル３９を貼付することにより、媒体に不可視情報を形成できる。
【００４１】
以上で説明してきた不可視情報の形成方法の場合、赤外・可視ルミネセンスインキが媒体に直接塗布されて不可視情報が媒体に記録される。このため、不可視情報の形成中および形成直後に、形成された不可視情報の状態を可視光下で肉眼により確認することは困難である。この結果、例えば暗証番号などの秘匿情報を誤って媒体に筆記したとしても、その場で情報の誤りに気が付かず不具合が発生する恐れがある。
【００４２】
この様な不具合を予防する方法として、図９に示す様に、不可視情報を記録する際に赤外線を媒体に照射することで、不可視情報を確認する。この場合、媒体１０の少なくとも不可視情報の記入領域１１に、赤外線発生ランプ１３を用いて赤外線１４を照射し、筆記と同時に不可視情報１２の内容を確認する。赤外・可視ルミネセンスインキは高い発光強度および輝度を有しているため、記録中の不可視情報の内容を容易に確認できる。なお、不可視情報の確認は、不可視情報の記録が筆記により行われる場合に限らず、印刷、感圧転写、捺印および貼付により不可視情報が形成される場合も有効である。
【００４３】
以上に説明してきた不可視情報の形成方法に加え、図１０に示す様に、例えば、複写式帳票を使用し、感圧転写により不可視情報を記録することもできる。この場合、可視光で目視できるインキを具備する一般の筆記具３４を用いて転写シート３５に情報を記入し、記入の際の筆圧により不可視情報が被転写シート３６に複写される。
【００４４】
感圧転写により不可視情報を記録する場合、赤外・可視ルミネセンス体を含有する感圧転移層を具備する不可視情報転写用シートを使用する。不可視情報転写用シートの不可視情報を記入する領域の裏面には感圧転移層を予め形成しておく。そして、不可視情報転写用シートの不可視情報を記入する領域の表面に、筆圧および印刷圧などの圧力を伴って不可視情報を記入すれば、記入された不可視情報に対応して、圧力により感圧転移層を形成している感圧転移性インキが不可視情報被転写シートに転移され、不可視情報が不可視情報被転写シートに複写形成される。
【００４５】
この様な感圧転移層は、赤外・可視ルミネセンス体を含有する感圧転移性のインキにより作製でき、感圧転移性インキは、適当なビヒクル等を使用して調製できる。感圧転移性インキとしては、例えば、非水系のものが好ましく、ビヒクルとしてワックス類および流動性油分を使用し、必要に応じて、バインダー、紫外線吸収剤、光重合開始剤、増粘度剤、ゲル化剤などの助剤を併用して調製する。
【００４６】
また、感圧転移性の不可視情報記録用インキにおいて、光ルミネセンス体の不可視情報記録用インキに占める割合は、視認可能な蛍光を得るために、５質量％以上が好ましく、１０質量％以上がより好ましく、１５質量％以上が更に好ましい。一方、十分な転移性を実現するために、６０質量％以下が好ましく、５０質量％以下がより好ましく、４０質量％以下が更に好ましい。
【００４７】
ワックス類としては、無色のものが好ましく、融点５５〜８５℃、２５℃での針入度が５程度で比較的高硬度のものをベースワックスとし、転写性および汚染性を制御する目的で、これに軟質ワックスを添加して硬度を低く調製したものが好ましい。この様なワックス類としては、カルナバワックス、キャンデリラワックス、密ロウ、木ロウ、モンタンワックス、鉱物ワックス、パラフィンワックス、合成ワックス、ココナッツワックス等を使用できる。
【００４８】
ワックス類の感圧転移性インキに占める割合は、汚染性を抑制するために、２０質量％以上が好ましく、２５質量％以上がより好ましい。一方、十分な転移性を実現するために、５０質量％以下が好ましく、４５質量％以下がより好ましく、４０質量％以下が更に好ましい。
【００４９】
また、感圧転移性インキには、これらワックス類との相溶性が高いエチレン−酢酸ビニル共重合体を３〜１０質量％程度添加してもよい。これは、感圧転移性インキの粘度を上昇させる機能を有し、インキの転移特性を高めるからである。
【００５０】
一方、流動性油分としては、無色であり、粘度が低く、コーティング性に優れるものが好ましい。この様な流動性油分としては、例えば、ひまし油、オリーブ油、サフラワー油等の植物性不乾性油；ノルマルパラフィン等の白色鉱物油；パラフィン系潤滑油；パラフィン基石油ワセリン等を使用できるが、中でも、芳香族成分を含まない潤滑油およびノルマルパラフィン等が好ましい。
【００５１】
流動性油分の感圧転移性インキに占める割合は、十分な転移性を実現するために、１０質量％以上が好ましく、２０質量％以上がより好ましい。一方、汚染性を抑制するために、４０質量％以下が好ましく、３０質量％以下がより好ましい。
【００５２】
以上の様な感圧転写性の赤外・可視ルミネセンスインキを使用して感圧転移層が形成された不可視情報転写用シートと、不可視情報被転写シートとから、複写式のシート組を製造できる。この様なシート組としては、申込用帳票、申込用葉書などを例示でき、不可視情報が転写された不可視情報被転写シートを、先方に回付および郵送などする。一方、不可視情報が直接記入された不可視情報転写用シートは、先方に回付および郵送する場合もあれば、記入者が控えとして保存する場合もある。
【００５３】
これらの不可視情報転写用シート組を使用して感圧転写方式により不可視情報を形成する場合、不可視情報転写用シートへの情報の記入には、可視光下で目視可能な一般のインキを具備する筆記具などを使用できる。このため、記入した情報の確認には、赤外線ランプ等などの特殊な装置を必要とせず、記入した情報を簡単に確認できる。
【００５４】
以上の様な不可視情報が記録される媒体の少なくとも不可視情報の記録領域には、不可視情報の安全性を高めるために、必要に応じて不可視情報の記録に先立ちカムフラージュを施す場合がある。
【００５５】
また、同様に、不可視情報の記録後に、不可視情報が記録される媒体の少なくとも不可視情報の記録領域にカムフラージュやオペイクを施す場合もある。
【００５６】
カムフラージュの様態としては、例えば、網点や地紋を印刷する。特に有色の網点や地紋からなるカムフラージュを施し、このカムフラージュの偽造が困難であれば、赤外・可視ルミネセンスインキで形成された不可視情報と併用することにより、更に高い安全性を実現できる。また、このようなカムフラージュを形成することにより、不可視情報を印刷、筆記、捺印する際に印刷痕、筆圧痕、捺印痕などが形成されたとしても、これらの痕がカムフラージュにより、目視により認知することが困難となり、更に高い安全性を実現できる。加えて、紫外線発光性のカムフラージュを施した場合、このカムフラージュも可視光下では目視できず、紫外線を照射することで初めて判読できる。このため、紫外線発光性のカムフラージュも不可視情報として機能するため、赤外・可視ルミネセンスインキで形成された不可視情報と併用することにより、更に高い安全性を実現できる。
【００５７】
一方、オペイクの様態としては、例えば、媒体に印刷、筆記、捺印および貼付などであるが、不可視情報の形成後に、少なくとも不可視情報が記録された領域にラベルを貼付し、不可視情報を隠蔽するのが不可視情報の安全面で最も好ましい。この様なラベルとしては、不可視情報の判読を妨げない様にするため、赤外線および可視光を透過するものを使用する。ラベルを貼付して不可視情報をオペイクすることにより、印刷、筆記および捺印などによりオペイクを施す場合と同様にして、不可視情報の安全性を高めることができる。更に、不可視情報がラベルによりオペイクされていれば、不可視情報が擦傷されたり、室内光および屋外光に直接暴露されたり、周りの水分を吸収したりすることを抑制できる。このため、赤外・可視ルミネセンス体の劣化を抑制でき、不可視情報の耐久性を向上できる。
【００５８】
この様なラベルとしては、樹脂性フィルム等を基体として作製できる。また、オペイクの効果を高めるために、ラベルを有色としたり、紫外線発光性としたり、有色で紫外線発光性とすることもできる。また、ラベルにカムフラージュを作製することもできる。そして、このカムフラージュを有色としたり、紫外線発光性としたり、有色で紫外線発光性とすることもできる。
【００５９】
特に、紫外線発光性のラベル、紫外線発光性のカムフラージュが施されたラベル等を使用すれば、紫外線発光性のオペイクやカムフラージュは不可視情報として機能するため、赤外・可視ルミネセンスインキで形成された不可視情報と併用することにより、更に高い安全性を実現できる。
【００６０】
また、有色のラベル、有色のカムフラージュが施されたラベル等を使用する場合、不可視情報の良好な判読性を確保するために、赤外線照射により赤外・可視ルミネセンス体が発する可視光の色を考慮して、色を選択するのが好ましく、この様な色としては、例えば、赤外・可視ルミネセンス体が発する可視光の補色とする。
【００６１】
一方、図１１に示す様に、媒体６０に不可視情報を形成した後、少なくとも不可視情報が記録された領域に隠蔽層６１を積層して、オペイクを施すこともできる。この様な隠蔽層としては、不可視情報の判読を妨げない様にするため、赤外線および可視光を透過するものを使用する。隠蔽層を積層することにより、印刷、筆記および捺印などによりオペイクを施す場合と同様にして、不可視情報の安全性を高めることができる。更に、不可視情報が隠蔽層によりオペイクされていれば、不可視情報が擦傷されたり、室内光および屋外光に直接暴露されたり、周りの水分を吸収したりすることを抑制できる。このため、赤外・可視ルミネセンス体の劣化を抑制でき、不可視情報の耐久性を向上できる。
【００６２】
特に、例えば、不可視情報が記録される媒体が樹脂板などで作製され、隠蔽層が施された媒体（積層体）がＩＤカードの様に携帯される不可視情報担持体として使用される場合、隠蔽層により不可視情報が保護されていれば、不可視情報担持体の寿命を長くすることができる。
【００６３】
隠蔽層の作製方法としては、不可視情報が記録された媒体に原料樹脂を溶融法およびキャスト法などで積層する方法を採用できる。また、オペイクの効果を高めるために、隠蔽層を有色としたり、紫外線発光性としたり、有色で紫外線発光性とすることもできる。また、隠蔽層にカムフラージュを作製することもできる。そして、このカムフラージュを有色としたり、紫外線発光性としたり、有色で紫外線発光性とすることもできる。
【００６４】
特に、紫外線発光性の隠蔽層、紫外線発光性の地紋が施された隠蔽層、紫外線発光性のカムフラージュが施された隠蔽層などを使用すれば、このカムフラージュが紫外線発光性の不可視情報として機能するため、赤外・可視ルミネセンスインキで形成された不可視情報と併用することにより、更に高い安全性を実現できる。
【００６５】
また、有色の隠蔽層、有色のカムフラージュが施された隠蔽層などを使用する場合、不可視情報の良好な判読性を確保するために、赤外線照射により赤外・可視ルミネセンス体が発する可視光の色を考慮して、色を選択するのが好ましく、この様な色としては、例えば、赤外・可視ルミネセンス体が発する可視光の補色とする。
【００６６】
以上に説明した様に、不可視情報が印刷、筆記、捺印および貼付により形成されている場合と同様にして、不可視情報が感圧転写により形成される場合も、印刷、筆記、捺印、貼付、ラベルの貼付、積層体の作製などにより、カムフラージュやオペイクを施すことができる。その結果、不可視情報が印刷、筆記、捺印および貼付により形成される場合と同様にして、感圧転写により形成された不可視情報の安全性を更に向上でき、耐久性を向上できる。
【００６７】
図１２には、複写式帳票を用いて、感圧転写により作成される不可視情報を事前にカムフラージュする例を示した。図１２（ａ）に示す様に、複写式帳票は不可視情報転写用シート４０と不可視情報被転写シート４２とからなり、不可視情報転写用シート４０の情報が記入される領域の裏面には、感圧転移層４１が形成されている。そして、不可視情報被転写シート４２の不可視情報が転写される領域４３には、予めカムフラージュとして地紋４４が印刷されている。不可視情報は、図１２（ｂ）に示す様に、不可視情報転写用シートの表面から筆記により圧力を伴って記入され、図１２（ｃ）の４５に示す様に、不可視情報被転写シートに複写される。
【００６８】
また、図１３には、感圧転写により作成された不可視情報を事後にオペイクする例を示した。この場合も、図１３（ａ）に示す様に、不可視情報転写用シート５０の不可視情報を記入する領域５１に、情報５２を筆記により圧力を伴って記入する。そして、不可視情報を記入する領域５１の裏面には、図１３（ｂ）に示す様に、感圧転移層５３が形成されているため、不可視情報５６は、不可視情報被転写シート５４の不可視情報が転写される領域５５に、感圧転写される。しかしながら、カムフラージュ及びオペイクが事前に施されている場合と異なり、不可視情報が転写される領域５５には、カムフラージュ及びオペイクは施されていない。オペイクは、図１３（ｃ）に示す様に、不可視情報の転写後に、例えば地紋５８が施されたラベル５７を、感圧転写された不可視情報が隠蔽される様に貼付する（図１３（ｄ））。
【００６９】
以上の様に、筆記などの圧力を伴って感圧転写により不可視情報を記録する場合、不可視情報が転写される領域には筆圧痕が形成される可能性が高い。このため、カムフラージュやオペイクにより筆圧痕を目視し難くしたり、筆圧痕を隠蔽することにより、筆圧痕の目視に起因する不可視情報の漏洩を予防することが重要となる。
【００７０】
なお、感圧転写により形成された不可視情報をオペイクする場合の具体的様態としては、不可視情報が印刷、筆記、捺印および貼付により形成されている場合のオペイクと同様の具体的様態を採用できる。即ち、オペイクの形成方法としては、印刷、筆記、捺印、貼付、ラベルの貼付、積層体の作製などを採用でき、さらに、網点や地紋からなるカムフラージュを施すことができ、有色および紫外線発光性のとすることができる。
【００７１】
【実施例】
以下、実施例および比較例により本発明を具体的に説明するが、本発明は以下の実施例に制限されるものではない。なお、特に明記しない限り、試薬等は市販の高純度品を使用した。
【００７２】
（不可視情報の発光強度および輝度）
不可視情報に波長９８０ｎｍの赤外線を照射した際の発光強度および輝度を目視で観測し、十分高い（○）、実用レベルである（△）、低い（×）の３段階で評価した。
【００７３】
（不可視情報の耐久性）
不可視情報が記録された媒体面に対し、照射強度０．０１Ｗ／ｍｍ2の条件下で紫外線を照射しながら１時間放置した後に、上記の条件で不可視情報の読取りを目視により行い、十分可能（○）、実用レベル（△）、不可能（×）の３段階で評価した。
【００７４】
（情報の非漏洩性）
不可視情報が記録された媒体を可視光下で目視により観察し、筆圧痕および印刷痕など有無を判断し、全く無し（○）、実用レベル（△）、有り（×）の３段階で評価した。
【００７５】
（参考例１）印刷用不可視情報記録用インキ１、不可視情報担持体１
赤外・可視ルミネセンス体として平均粒子径が３．５μｍのＮａＹ0.69Ｙｂ0.30Ｅｒ0.01Ｆ4を２０質量部と、体質顔料として炭酸カルシウム１０質量部と、合成樹脂としてロジン変性フェノール樹脂２７質量部と、植物油として亜麻仁油および桐油を１３部と、沸点が２８０〜３２０℃の石油系溶媒２５質量部と、助剤としてドライヤ３質量部および乾燥調整剤２質量部とを混合して、印刷用不可視情報記録用インキ１を調製した。なお、ＮａＹ0.69Ｙｂ0.30Ｅｒ0.01Ｆ4は、波長９００〜１１００ｎｍの赤外線を９７８ｎｍを中心として吸収し、５２０〜５６０ｎｍの緑色光を放出することを確認した。
【００７６】
得られた印刷用不可視情報記録用インキ１を用いて、ＰＳ版によるウエットオフセット法により、暗証番号を媒体面の所定領域に印刷した。得られた不可視情報担持体１に付いて、不可視情報の発光強度および輝度を評価したところ、結果は○であった。
【００７７】
更に、不可視情報担持体１の暗証番号が印刷された領域に、赤色の薄型ラベルを積層し、積層体を作製した。得られた積層体について、不可視情報の耐久性と情報の非漏洩性とを評価したところ、結果は何れも○であった。
【００７８】
（参考例２）不可視情報担持体２
オフセットインキを用いて、オフセット印刷法により入場券を印刷した。これに印刷用不可視情報記録用インキ１を用いて、不可視情報担持体１の場合と同様にして、真贋判定用の不可視情報を印刷した。得られた不可視情報担持体２に付いて、不可視情報の発光強度および輝度を評価したところ、結果は○であった。
【００７９】
（参考例３）印刷用不可視情報記録用インキ２、不可視情報担持体３
赤外・可視ルミネセンス体として平均粒子径が３．５μｍのＹ0.65Ｙｂ0.35Ｔｍ0.001Ｆ3を２０質量部と、体質顔料として炭酸カルシウム１２質量部と、合成樹脂としてポリエステル樹脂１２質量部と、硬化性ビヒクルとしてアクリルエステルのモノマー及びオリゴマーの混合物４５．５質量部と、光硬化開始剤として過酸化ベンゾイルを６．５部と、助剤として連鎖移動剤を４質量部とを混合して、紫外線硬化型の印刷用不可視情報記録用インキ２を調製した。なお、Ｙ0.65Ｙｂ0.35Ｔｍ0.001Ｆ3は、波長９００〜１１００ｎｍの赤外線を９７８ｎｍを中心として吸収し、４００〜５００ｎｍの青色光を放出することを確認した。
【００８０】
一方、紫外線発光性の印刷用インキを用いて、オフセット印刷法により地紋を金券に印刷した。そして、地紋が印刷された領域に、印刷用不可視情報記録用インキ２を用いて、ＰＳ版によるウエットオフセット法により、偽造防止用の不可視情報を印刷し、紫外線硬化した。得られた不可視情報担持体２に付いて、不可視情報の発光強度および輝度を評価したところ、結果は○であった。更に、不可視情報が形成されて領域に紫外線を照射したところ、地紋を確認できた。
【００８１】
（実施例１）感圧転移性不可視情報記録用インキ１、不可視情報転写用シート組１
赤外・可視ルミネセンス体として平均粒子径が３．５μｍのＮａＹ0.69Ｙｂ0.30Ｅｒ0.01Ｆ4を３５質量部と、ワックス類としてカルナバワックスを３０質量部と、流動性油分としてノルマルパラフィンを２５質量部と、エチレン−酢酸ビニル共重合体５質量部、紫外線吸収剤３質量部、増粘剤２質量部とを混合して、感圧転移性不可視情報記録用インキ１を調製した。
【００８２】
得られた感圧転移性不可視情報記録用インキ１を用いて、不可視情報転写用シートの不可視情報が記入される領域の裏面に、感圧転移層を作製した。一方、不可視情報が転写される領域に地紋が印刷された不可視情報被転写シートを作製し、これらの不可視情報転写用シートおよび不可視情報被転写シートより、不可視情報転写用シート組１を作製した。
【００８３】
得られた不可視情報転写用シート組１の不可視情報転写用シートに暗証番号を記入し、不可視情報被転写シートに暗証番号を複写した。転写された不可視情報の発光強度および輝度を評価したところ、結果は○であった。また、不可視情報の非漏洩性も○であった。
【００８４】
（実施例２）不可視情報転写用シート組２
不可視情報被転写シートに地紋が形成されていない以外は、不可視情報転写用シート組１の場合と同様にして、不可視情報転写用シート組２を作製した。
【００８５】
得られた不可視情報転写用シート組２の不可視情報転写用シートに暗証番号を記入し、不可視情報被転写シートに暗証番号を複写した。引続き、転写された不可視情報に、赤色の地紋が印刷されたラベルを貼付した。その後、不可視情報の発光強度および輝度を評価したところ、結果は○であった。また、不可視情報の非漏洩性も○であった。
【００８６】
（参考例４）筆記具用不可視情報記録用インキ１、マーキングペン１
赤外・可視ルミネセンス体として平均粒子径が３．５μｍのＮａＹ0.69Ｙｂ0.30Ｅｒ0.01Ｆ4と、溶剤と、樹脂とを混合して、筆記具用不可視情報記録用インキ１を調製できる。更に、これを用いて、マーキングペン１を製造できる。得られたマーキングペン１を用いて、赤外線の照射下において、不可視情報を確認しながら、不可視情報を筆記できる。
【００８７】
【発明の効果】
不可視情報を記録する際に、赤外線を吸収し可視光を放出する光ルミネセンス体を含有するインキを使用することにより、赤外線を照射した際の不可視情報の高発光強度および高輝度を実現でき、良好な秘匿性を実現できる。このため、安全性の高い不可視情報を形成できる。
【図面の簡単な説明】
【図１】不可視情報が記録された媒体の例を示すための模式図である。
【図２】不可視情報が記録された媒体の例を示すための模式図である。
【図３】不可視情報が記録された媒体の例を示すための模式図である。
【図４】不可視情報が記録された媒体の例を示すための模式図である。
【図５】不可視情報の記録方法を説明するための模式図である。
【図６】不可視情報の記録方法を説明するための模式図である。
【図７】不可視情報の記録方法を説明するための模式図である。
【図８】不可視情報の記録方法を説明するための模式図である。
【図９】不可視情報の記録方法を説明するための模式図である。
【図１０】不可視情報の記録方法を説明するための模式図である。
【図１１】不可視情報がオペイクされた媒体の例を示すための模式図である。
【図１２】不可視情報をカムフラージュする方法を説明するための模式図である。
【図１３】不可視情報をオペイクする方法を説明するための模式図である。
【符号の説明】
１０    媒体
１１    不可視情報の記入領域
１２    不可視情報
１３    赤外線発生ランプ
１４    赤外線
２０    媒体
２１    秘匿情報
２２    媒体
２３    真贋判定用情報
２４    媒体
２５    偽造防止用情報
２６    媒体
２７    娯楽用情報
３０    印刷機
３１    不可視情報が記録された媒体
３２    記録用具
３３    申込書
３４    筆記具
３５    転写シート
３６    被転写シート
３７    スタンプ
３８    媒体
３９    ラベル
４０    不可視情報転写用シート
４１    感圧転移層
４２    不可視情報被転写シート
４３    不可視情報が転写される領域
４４    地紋
４５    不可視情報
５０    不可視情報転写用シート
５１    不可視情報を記入する領域
５２    情報
５３    感圧転移層
５４    不可視情報被転写シート
５５    不可視情報が転写される領域
５６    不可視情報
５７    ラベル
５８    地紋
６０    媒体
６１    隠蔽層
【図１】
0004115149.tif 000002
【図２】
0004115149.tif 000003
【図３】
0004115149.tif 000004
【図４】
0004115149.tif 000005
【図５】
0004115149.tif 000006
【図６】
0004115149.tif 000007
【図７】
0004115149.tif 000008
【図８】
0004115149.tif 000009
【図９】
0004115149.tif 000010
【図１０】
0004115149.tif 000011
【図１１】
0004115149.tif 000012
【図１２】
0004115149.tif 000013
【図１３】
0004115149.tif 000014